(57)【要約】【課題】包装用外箱内へ多数収納した物品包装体にあって、この包装用外箱から簡単かつ包装体を損傷させることなく取り出すことができる物品包装体を提供する。【解決手段】有底の箱状に形成された本体１の上部に開口部を有し、該開口部を内天面部材２と外天面部材３とにより開閉自在に閉塞される物品包装体Ａにあって、外天面部材３の適所において一箇所または複数箇所に、該外天面部材３の厚さ方向を貫通する外手掛け係止体４を設けてなり、内天面部材２において、外天面部材３に設けた外手掛け係止体４に対応する位置に、前記内天面部材の厚さ方向を貫通する内手掛け係止体５を設ける。【選択図】    図１
2005239175.tif 000002
【特許請求の範囲】
【請求項１】
有底の箱状に形成された本体の上部に開口部を有し、該開口部を内天面部材と外天面部材とにより開閉自在に閉塞される物品包装体にあって、
前記外天面部材の適所において一箇所または複数箇所に、該外天面部材の厚さ方向を貫通する外手掛け係止体を設けてなり、
前記内天面部材において、前記外天面部材に設けた外手掛け係止体に対応する位置に、前記内天面部材の厚さ方向を貫通する内手掛け係止体を設けたことを特徴とする物品包装体。
【請求項２】
外天面部材に設けた外手掛け係止体は、直線状の切り込みであって、該切り込みの中心部から外方へ放射状に三本以上形成させたことを特徴とする請求項１記載の物品包装体。
【請求項３】
外天面部材に設けた外手掛け係止体は、穴であって、該外天面部材より円形や多角形に切り取ったことを特徴とする請求項１記載の物品包装体。
【請求項４】
外天面部材に設けた外手掛け係止体は、一側部を前記外天面部材と接続する接続部を設けた切り込みであって、前記接続部他側の該切り込みの外形状は、円弧形や多角形に形成させたことを特徴とする請求項１記載の物品包装体。
【請求項５】
内天面部材に設けた内手掛け係止体は、直線状の切り込みであって、該切り込みの中心部から外方へ放射状に三本以上形成させたことを特徴とする請求項１記載の物品包装体。
【請求項６】
内天面部材に設けた内手掛け係止体は、該外天面部材より円形や多角形に切り取った穴、または前記外天面部材より円弧形や多角形に切り取った切り取りであることを特徴とする請求項１記載の物品包装体。
【請求項７】
内天面部材に設けた内手掛け係止体は、一側部を前記外天面部材と接続する接続部を設けた切り込みであって、前記接続部他側の該切り込みの外形状は、円弧形や多角形に形成させたことを特徴とする請求項１記載の物品包装体。
【発明の詳細な説明】
【技術分野】
【０００１】
本発明は、包装用外箱内へ多数収納した物品包装体にあって、この包装用外箱から簡単かつ包装体を損傷させることなく取り出すことができる物品包装体に関する。
【背景技術】
【０００２】
従来、段ボール箱内に梱包した収容物を容易に取り出し得るものが知られている（例えば、特許文献１参照）。
【０００３】
【特許文献１】特開平１０−５３２９３号公報
【０００４】
このものは、段ボール箱内に収容する収容物を補助板を介して設けたもので、この補助板の上片に手掛け穴を穿設したもので、段ボール箱から収容物を取り出す際は、手掛け穴に手を掛け上方に引き上げることで行われていた。
【０００５】
したがって、収容物を引き上げるときは、補助板の上片が直立に立ち上がるので、段ボール箱の底部位置に該収容物があるときは、この上片が段ボール箱の内壁に接するまで回動し、手掛け穴に掛けた手がこの段ボール箱の内壁に当たって引き上げにくいものであった。
【０００６】
特に、この補助板の上片は、常時、段ボール箱内へ折曲させた状態で収納してあるので、収容物を引き上げるとき、起立する状態まで回動した後でないと、収容物を引き上げることができないため、作業性が悪いものであった。
【０００７】
また、手掛け穴に掛けた手は、上片が起立した回動状態時にあって、その手掛け穴の薄厚の内端縁に当たるため、手の指に収容物の集中荷重が掛かって、該指に大きな荷重負担や痛みなどを与えるおそれがあった。
【０００８】
更に、物品の包装にあって、小ロットの物品を収納した小箱のいくつかを、更に大箱内に収納することが一般的に行われているもので、この場合でも、小箱は大箱内へ隙間なく収容されているため、取り出しの際に、指が掛かる箇所がなく、一部では、持ち上げ用のテープを前記小箱の周囲に介在させて上部に引き出しておき、前記小箱の取り出し時は、このテープの両端部を引き上げることで前記問題点を解決していた。
【０００９】
しかしながら、この方法は、物品の梱包時に、わざわざテープを挿入する手間が掛かって作業性が悪いと共に、前記小箱の取り出し時は、このテープがゴミとなる問題点があった。
【発明の開示】
【発明が解決しようとする課題】
【００１０】
本発明は前記した問題点を解決するためになされたもので、有底の箱状に形成された本体の上部に開口部を有し、該開口部を内天面部材と外天面部材とにより開閉自在に閉塞される物品包装体にあって、外天面部材の適所において一箇所または複数箇所に、該外天面部材の厚さ方向を貫通する外手掛け係止体を設けてなり、内天面部材において、外天面部材に設けた外手掛け係止体に対応する位置に、前記内天面部材の厚さ方向を貫通する内手掛け係止体を設けたことにより、包装用外箱内へ多数収納した物品包装体にあって、この包装用外箱から簡単かつ包装体を損傷させることなく取り出すことができる物品包装体を提供することを目的としている。
【課題を解決するための手段】
【００１１】
前記した目的を達成するための本発明は、
有底の箱状に形成された本体の上部に開口部を有し、該開口部を内天面部材と外天面部材とにより開閉自在に閉塞される物品包装体にあって、
前記外天面部材の適所において一箇所または複数箇所に、該外天面部材の厚さ方向を貫通する外手掛け係止体を設けてなり、
前記内天面部材において、前記外天面部材に設けた外手掛け係止体に対応する位置に、前記内天面部材の厚さ方向を貫通する内手掛け係止体を設けた物品包装体の構成にある。
【００１２】
外天面部材に設けた外手掛け係止体は、直線状の切り込みであって、該切り込みの中心部から外方へ放射状に三本以上形成させる。
【００１３】
外天面部材に設けた外手掛け係止体は、穴であって、該外天面部材より円形や多角形に切り取る。
【００１４】
外天面部材に設けた外手掛け係止体は、一側部を前記外天面部材と接続する接続部を設けた切り込みであって、前記接続部他側の該切り込みの外形状は、円弧形や多角形に形成させる。
【００１５】
内天面部材に設けた内手掛け係止体は、直線状の切り込みであって、該切り込みの中心部から外方へ放射状に三本以上形成させる。
【００１６】
内天面部材に設けた内手掛け係止体は、該外天面部材より円形や多角形に切り取った穴、または前記外天面部材より円弧形や多角形に切り取った切り取りである。
【００１７】
内天面部材に設けた内手掛け係止体は、一側部を前記外天面部材と接続する接続部を設けた切り込みであって、前記接続部他側の該切り込みの外形状は、円弧形や多角形に形成させる。
【発明の効果】
【００１８】
本発明は、段ボール箱等の外箱へ、多数の物品包装体を隙間なく収容させた場合であっても、該外箱の上部より真っ直ぐに引き上げて取り出すことができる。
外箱からの取り出しの際に、物品包装体における内天面部材と外天面部材とに跨る内外手掛け係止体を設けてあるため、収容物が重いものであっても、内天面部材や外天面部材が破損することがなく、また手掛け係止体に掛かる手の指は、その面接触に行われるので、該手の指に無用の負担を与えない。
【発明を実施するための最良の形態】
【００１９】
次に本発明に関する物品包装体の実施の一例を図面に基づいて説明する。
図１および図９，図１３においてＡは物品包装体で、有底の箱状に形成された本体１の上部に開口部を有し、該開口部を内天面部材２と外天面部材３とにより開閉自在に閉塞されるもので、慣用の段ボール箱等が用いられるものである。
【００２０】
また、外天面部材３の適所において一箇所または複数箇所に、該外天面部材３の厚さ方向を貫通する外手掛け係止体４を設けてある。
なお、この外手掛け係止体４の設置箇所は、物品包装体Ａの大きさや重量に応じて適宜選定し得るもので、例えば、物品包装体Ａが小型で軽量であれば、一箇所であったり、片手の親指と人差し指や中指で挟み持てる位置の二箇所に形成させたり、物品包装体Ａが比較的大型で重量があれば、両手の指が差し込まれる二箇所以上の位置や、両手における親指と人差し指や中指で挟み持てる位置のそれぞれ二箇所である四箇所に形成される。
【００２１】
この外手掛け係止体４は、手の指が比較的自由に差し込まれる形態であれば、任意に設計し得るもので、例えば、図２−１（ａ），（ｂ）に示す場合は、その中心部４ａから外方へ放射状に形成させた三本以上の外天面部材３の厚さ方向を貫通する直線状（直線によって構成されるもの）の切り込み（切れ目）とするもので、手の指をこの切り込みに押し込むことでその挿入孔が形成される。なお、この直線状の切り込み（切れ目）は、図２−１（ｅ）に示すように、円弧曲線により形成させたり、図２−１（ｆ）に示すように、ギザギザの波形であっても構わない。
また、その各切り込み長さは任意に得られるが、おおよそ、手の指太さよりやや大きい挿入孔が形成される長さである。なお、図２−１（ａ）に示す例は切り込みが三本で、図２−１（ｂ）に示す例は切り込みが四本からなるが、図示してない五本，六本とのように設けてもよい。
また、図２−１（ｃ），（ｄ）に示す場合は、円形や多角形に切り取った穴とするもので、手の指を挿入し得る穴の形態であれば、前記例に限定されない。
更に、この外手掛け係止体４は、図２−２（ａ）〜（ｄ）に示す場合は、その一側部を、外天面部材３と接続する接続部４ｂを設けてあり、該一側部とは他側となる他側部４ｃを円弧形や多角形などに形成させた切り込みの外形に形成されるもので、手の指を挿入し得る切り込み外形の形態であれば、前記例に限定されない。
また、この切り込み外形の形態の場合には、図２−２（ｅ）に示すように、他側部４ｃにおいて、あるいは、この他側部４ｃと連なる箇所において、外天面部材３と接続する一部接続部４ｃ１を一箇所または複数箇所に設けることができる。これにより、該外手掛け係止体４は、指等で押さえない限り凹んだりあるいは浮き上がったりすることがない。
【００２２】
そして、この外手掛け係止体４の円弧形や多角形に形成された他側側４ｃは、図１２において展開図に示すように、外天面部材３の内方へ向くように設けられ、また、切り込みが形成されていない接続部４ｂは、外天面部材３の外周部側に位置するように設けられている。
この外手掛け係止体４にあって、直線状の切り込みや意側部に接続部を有する切り込みによって形成された円形，多角形等の形状とした場合、外天面部材３の上面には印刷物の表示や荷札等の貼着が自由に行える利点を有する。
【００２３】
前記した内天面部材２において、外天面部材３に設けた外手掛け係止体４に対応する位置に、内天面部材２の厚さ方向を貫通する内手掛け係止体５を設けてある。
そして、外手掛け係止体４を通った手の指が差し込まれる形態であれば、任意に設計し得るもので、例えば、図３−１（ａ），（ｂ）に示す場合は、その中心部５ａから外方へ放射状に形成させた三本以上の内天面部材２の厚さ方向を貫通する直線状（直線によって構成されるもの）の切り込み（切れ目）とするもので、手の指をこの切り込みに押し込むことで挿入孔が形成される。なお、この直線状の切り込み（切れ目）は、図３−１（ｅ）に示すように、円弧曲線により形成させたり、図３−１（ｆ）に示すように、ギザギザの波形であっても構わない。
また、その各切り込み長さは任意に得られるが、おおよそ、手の指太さよりやや大きい挿入孔が形成される長さである。なお、図３−１（ａ）に示す例は切り込みが三本で、図３−１（ｂ）に示す例は切り込みが四本からなる。
また、図３−１（ｃ），（ｄ）に示す場合は、円形や多角形に切り取った穴とするもので、手の指を挿入し得る穴の形態であれば、前記例に限定されない。
更に、この内手掛け係止体５は、図３−２（ａ）〜（ｄ）に示す場合は、その一側部を、内天面部材２と接続する接続部５ｂを設けてあり、該一側部とは他側となる他側部５ｃを円弧形や多角形などに形成させた切り込みの外形に形成されるもので、手の指を挿入し得る切り込み外形の形態であれば、前記例に限定されない。
更に、図３−３（ａ）〜（ｃ）に示す場合は、内手掛け係止体５にあって、その一側部を内天面部材２の端縁部に連なる切り取り部５ｅとしてあり、手の指が係合する他側部５ｃが円弧状や、図３−４（ａ）〜（ｃ）に示すように、多角形状となる。
また、この切り込み外形の形態の場合には、図３−２（ｅ）に示すように、他側部５ｃにおいて、あるいは、この他側部５ｃと連なる箇所において、内天面部材２と接続する一部接続部５ｃ１を一箇所または複数箇所に設けることができる。これにより、該内手掛け係止体５は、指等で押さえない限り凹んだりあるいは浮き上がったりすることがない。
【００２４】
そして、これら外天面部材３の外手掛け係止体４と内天面部材２の内手掛け係止体５との位置や形状関係は、図４（ａ）および図５（ａ）に示すように、内天面部材２に設けた内手掛け係止体５の挿入孔Ｄ２は、外天面部材３の外手掛け係止体４の挿入孔Ｄ１より大きく（Ｄ２＞Ｄ１）形成することで、外天面部材３と内天面部材２とを重ね合わせて、前記開口部を閉塞したとき、その外手掛け係止体４と内手掛け係止体５とに若干の位置ズレを生じていても手を掛けるとき問題なく操作できる。なお、この外手掛け係止体４の挿入孔Ｄ１と内手掛け係止体５の挿入孔Ｄ２は同じ（Ｄ１＝Ｄ２）であっても構わない。
また、内手掛け係止体５が切り込みによる場合は、外手掛け係止体４より手の指を挿入したとき、十分な折曲代が得られて、必要長さ分の手の指を挿し込ませることができる。
【００２５】
更に、外天面部材３の外手掛け係止体４と内天面部材２の内手掛け係止体５とは、前記した任意の形態から組み合わせることができるもので、例えば、例示的に挙げるとすれば、図４（ａ），（ｂ）に示すように、切り込みによる外手掛け係止体４と穴による内手掛け係止体５との組み合わせや、図４（ｃ），（ｄ）に示すように、穴による外手掛け係止体４と切り込みによる内手掛け係止体５との組み合わせや、図５（ａ），（ｂ）に示すように、穴による外手掛け係止体４と穴による内手掛け係止体５との組み合わせや、図６（ａ），（ｂ）に示すように、一側部に接続部４ｂを有する切り込みによる外手掛け係止体４と穴による内手掛け係止体５との組み合わせや、図６（ｃ），（ｄ）に示すように、穴による外手掛け係止体４と一側部に接続部５ｂを有する切り込みによる内手掛け係止体５との組み合わせや、図７（ａ），（ｂ）に示すように、切り込みによる外手掛け係止体４と切り込みによる内手掛け係止体５との組み合わせ等のように、その一例が挙げられる。しかしながら、外手掛け係止体４と内手掛け係止体５との組み合わせは、前記した例示に限定されない。
【００２６】
更に、本発明実施例にあって、外天面部材３の外手掛け係止体４と内天面部材２の内手掛け係止体５との位置や形状関係は、図１１に示すような、形態も例示される。この場合、外天面部材３上において対角線上に複数個の両係止体４，５が位置する。なお、図１２に示すように、外天面部材３の外周辺と平行する位置で、該外天面部材３の中間部に設けてもよい。
【００２７】
すなわち、この例は、一側部に接続部４ｂを有する切り込みによる外手掛け係止体４と一側部に接続部５ｂを有する切り込みによる内手掛け係止体５との組み合わせによるものである。この例にあって、内手掛け係止体５は外手掛け係止体４より大きく形成してあり、また、内手掛け係止体５の接続部５ｂ（Ｄ４）は、外手掛け係止体４の接続部４ｂ（Ｄ３）より大きく（Ｄ４＞Ｄ３）形成されている。
これは、接続部５ｂ（Ｄ４）が接続部４ｂ（Ｄ３）の外側より更に外側へ張り出し部Ｄ５，Ｄ５の分が張り出した形状であって、該張り出し部Ｄ５の寸法は接続部４ｂ（Ｄ３）の１／２程度の寸法が好ましい。また、接続部５ｂ（Ｄ４）の寸法は、好ましくは、接続部４ｂ（Ｄ３）の２倍程度（２Ｄ３≒Ｄ４）に設定する。
【００２８】
これにより、内手掛け係止体５は外手掛け係止体４を介して手の指などにより下方へ押し出されたとき、接続部５ｂを中心に回動するものであるが、前記手の指を外したときは、該接続部５ｂがばね作用をすると共に、接続部４ｂとの協働によりして、前記ばね作用が二倍となって、内手掛け係止体５と外手掛け係止体４とを下から持ち上げ、もとの平滑状態に復元しようとする。
同時に、この復元作用により、外手掛け係止体４をもとの平滑状態に押し上げて、外天面部材３の上面と同じ位置まで戻った面一状態となり、この外手掛け係止体４が外観上、凹みなどを有しない外天面部材３と一体的となって体裁も良好となる。また、外天面部材３に外手掛け係止体４による穴が空かないので、本体１内が外観から見えない。
外手掛け係止体４の切り込み長さ寸法ｍ１と、内手掛け係止体５の切り込み長さ寸法ｍ２とは、良好な復元力が得られるように適宜設計し得る。
【００２９】
なお、この物品包装体Ａは、段ボール材を用いることができるもので、その場合、図８および図１２に示す展開図のように、慣用の成形機（図示せず）によりその外形が打ち抜かれるものであって、その成形工程において、一度にあるいは別工程において、外手掛け係止体４と内手掛け係止体５とが成形される。
【００３０】
更に、図１３に示すように、外天面部材３の外手掛け係止体４と内天面部材２の内手掛け係止体５との位置は、物品包装体Ａが、比較的小形で軽量な場合には、一箇所のみに設けることもある。
また、内容物２０が本体１内部の略全体にわたって収容されているときは、両係止体４，５の形成位置も適宜変更される。例えば、図１３に示すような、円形の内容物２０の場合は、角形の本体１四隅に空間部２１ができるので、この空間部２１位置に合わせて両係止体４，５を設計する。
両係止体４，５を一箇所に設ける場合、指が掛かる他側部４ｃ，５ｃは外側に向けることで、指先が空間部２１に対応して、内容物２０と該指が干渉しない。
この両係止体４，５の形成位置に、その係止部が形成できることを表示するために、指型Ｆを印刷することもできる。
【００３１】
前記のように構成される本発明実施例の物品包装体Ａは、以下に述べる作用を奏する。
本体１内へ内容物が収納されて、該本体１の開口部に設けられた内天面部材２，２がそれぞれ内方に折り畳まれ、この内天面部材２，２の上に外天面部材３，３をそれぞれ内方に折り畳むと、図１に示すように、梱包される。このとき、必要に応じて、外天面部材３，３の端部突き合わせ部に接着テープ１０を貼着すれば、外天面部材３，３は開かない。
【００３２】
この状態で、段ボール箱等の外箱ｂ内へ複数個の物品包装体Ａを横方向および高さ方向へ収納することで、輸送や保管等が簡便に行える梱包がなされる。
そして、図９に示すように、該外箱ｂの内周壁には隙間が生じないようにピッタリとこの物品包装体Ａが収納されているため、外箱ｂの内周壁と物品包装体Ａの外周部とには手掛けをするための隙間がない。
【００３３】
したがって、この物品包装体Ａを外箱ｂより取り出す際には、本体１の上部における外天面部材３に設けられた外手掛け係止体４へ手の指を挿入すると、該外手掛け係止体４は容易に挿入孔ができ、更に、この外手掛け係止体４に対応する内天面部材２の内手掛け係止体５へも手の指が挿入され、該内手掛け係止体５にも挿入孔ができる。
【００３４】
そして、図１０に示すように、それぞれの挿入孔において、内天面部材２の内面に手の指を掛けることができる。
この状態で、物品包装体Ａを引き上げると、外箱ｂから簡単に取り出しことができる。
【００３５】
前記した本発明実施例によれば、外天面部材３に設けられた外手掛け係止体４を切り込みによる場合には、その切り込み量は可及的少量で済み、外観的に意匠感を損なうことなく設けることができる。
また、この切り込みは、接続部５ｂによって、指をその挿入孔から引き抜いた後はもとの平らな位置まで復元させることができる。
切り込みによるため、包装体の成形にあって、切り抜き時に生ずるゴミの排出がないので、そのゴミの処理に対する別な構成が不要となるばかりか、加圧成形用の刃物体へのゴミの付着がないため、これら装置のメンテナンスも簡略化される。特に、包装体へ新たな部材を付加させる構成ではないため、製作コストをできるだけ抑えて安価に市場提供することができる。
【００３６】
また、本発明実施例の物品包装体Ａは、段ボール紙や厚紙（例えば、白ボール紙）により成形した箱が用いられるもので、このうち、段ボール紙を用いた場合には、図１，図９等に示すように用いられ、各外手掛け係止体４形状は図２−１の形態が好ましく、内手掛け係止体５の形状は図３−１，図３−３，図３−４の形態が好ましい。
また、厚紙を用いた場合には、図１１，図１３等に示すように用いられ、各外手掛け係止体４形状は図２−２の形態が好ましく、内手掛け係止体５の形状は図３−２の形態が好ましい。
【図面の簡単な説明】
【００３７】
【図１】本発明に関する物品包装体（段ボール箱用）の一実施例を示す斜視図である。
【図２−１】図１における物品包装体に設けた外手掛け係止体（段ボール箱用）の各例を示す要部平面図である。
【図２−２】図１における物品包装体に設けた外手掛け係止体（厚紙箱用）の各例を示す要部平面図である。
【図３−１】図１における物品包装体に設けた内手掛け係止体（段ボール箱用）の各例を示す要部平面図である
【図３−２】図１における物品包装体に設けた内手掛け係止体（厚紙箱用）の各例を示す要部平面図である
【図３−３】図１における物品包装体に設けた円弧形状の内手掛け係止体（段ボール箱用）の他の各例を示す要部斜視図である
【図３−４】図１における物品包装体に設けた多角形状の内手掛け係止体（段ボール箱用）の他の各例を示す要部斜視図である
【図４】図１における物品包装体の外手掛け係止体と内手掛け係止体との対応状態の各例を示すもので、（ａ），（ｃ）は要部の平面図、（ｂ），（ｄ）はその断面図である。
【図５】図１における物品包装体の外手掛け係止体と内手掛け係止体との対応状態の他の例を示すもので、（ａ）は要部の平面図、（ｂ）はその断面図である。
【図６】図１における物品包装体の外手掛け係止体と内手掛け係止体との対応状態の更に他の各例を示すもので、（ａ），（ｃ）は要部の平面図、（ｂ），（ｄ）はその断面図である。
【図７】図１における物品包装体の外手掛け係止体と内手掛け係止体との対応状態の更に他の例を示すもので、（ａ）は要部の平面図、（ｂ）はその断面図である。
【図８】図１における物品包装体の展開状態を示す説明図である。
【図９】図１における物品包装体の外箱への収納状態を示す説明図である。
【図１０】図１における物品包装体の外手掛け係止体と内手掛け係止体とへの指の係止状態を示す要部の断面図である。
【図１１】図１における物品包装体に設けた外手掛け係止体および内手掛け係止体（厚紙箱用）の各例を示す要部平面図である。
【図１２】図１１における物品包装体の展開状態を示す説明図である。
【図１３】図１における物品包装体に設けた外手掛け係止体および内手掛け係止体（厚紙箱用）の他の各例を示す要部平面図である。
【符号の説明】
【００３８】
Ａ…物品包装体．１…本体．２…内天面部材．３…外天面部材．４…外手掛け係止体．５…内手掛け係止体．４ｂ，５ｂ…接続部．
【図１】
2005239175.tif 000003
【図２−１】
2005239175.tif 000004
【図２−２】
2005239175.tif 000005
【図３−１】
2005239175.tif 000006
【図３−２】
2005239175.tif 000007
【図３−３】
2005239175.tif 000008
【図３−４】
2005239175.tif 000009
【図４】
2005239175.tif 000010
【図５】
2005239175.tif 000011
【図６】
2005239175.tif 000012
【図７】
2005239175.tif 000013
【図８】
2005239175.tif 000014
【図９】
2005239175.tif 000015
【図１０】
2005239175.tif 000016
【図１１】
2005239175.tif 000017
【図１２】
2005239175.tif 000018
【図１３】
2005239175.tif 000019